(57)【要約】【課題】装填部に対する防振性と、蓋の密閉性の確保との両立を図ったディスク装置及びこれを備えたカメラを提供すること。【解決手段】筐体４に形成された挿入口１０から挿入されるディスクカートリッジ８を収容可能な装填部２４を、防振部材２７を介在させて筐体４に取り付け、蓋５を装填部２４と分離させて筐体４ｂに取り付け、挿入口１０を覆う閉位置にある蓋５と係合する係合位置と、その係合が解除される解除位置との間で移動自在なロック部材５８ａ、５８ｂを、装填部２４と分離させて筐体４に取り付けた。【選択図】        図３
2004310836.tif 000002
【特許請求の範囲】
【請求項１】
筐体と、
前記筐体に開口された挿入口と、
前記挿入口から挿入されるディスクカートリッジを収容可能な装填部と、
前記挿入口を覆う閉位置と前記挿入口を開放する開位置との間で回動される蓋とを備えたディスク装置であって、
前記装填部を、防振部材を介在させて前記筐体に取り付け、
前記蓋を前記装填部と分離させて前記筐体に取り付け、
前記閉位置にある前記蓋と係合する係合位置と、前記係合が解除される解除位置との間で移動自在なロック部材を、前記装填部と分離させて前記筐体に取り付けた
ことを特徴とするディスク装置。
【請求項２】
前記ロック部材を前記係合位置から前記解除位置まで移動させる電動モータを設けた
ことを特徴とする請求項１に記載のディスク装置。
【請求項３】
前記ロック部材と一体的に前記係合位置と前記解除位置との間を移動されるスライド片を前記筐体の外部に臨ませて設けた
ことを特徴とする請求項２に記載のディスク装置。
【請求項４】
前記閉位置にある状態で前記挿入口が形成された前記筐体の挿入口形成面に対して向き合わされる前記蓋の内表面において、少なくとも前記挿入口形成面に当接する箇所にシール材を設けた
ことを特徴とする請求項１に記載のディスク装置。
【請求項５】
請求項１乃至請求項４の何れかに記載のディスク装置を備えたカメラ。
【発明の詳細な説明】
【０００１】
【発明の属する技術分野】
本発明は、ディスク状記録媒体に対する記録再生を行うディスク装置及びこれを備えたカメラに関し、更に詳しくは、装填部と蓋とを機械的に連結させない構造とすることで装填部に対する防振と防塵の両立を図ったディスク装置及びこれを備えたカメラに関する。
【０００２】
【従来の技術】
従来より、撮像したデータを、書き込み可能なディスク状記録媒体に記録するためのディスク装置を備えたカメラ一体型記録再生装置（以下、単にカメラと呼ぶ）が知られている。例えば、特許文献１、２に示されている。
【０００３】
【特許文献１】
特開２００１−１０１８５５号公報
【０００４】
【特許文献２】
特開２００１−１０１６７５号公報
【０００５】
一般にカメラは屋外で使用される（特に放送局などが取材で用いるカメラ）ことも多々あり、防振性、防塵性、防滴性を具備している必要がある。特に、ディスク装置は光ピックアップなどの振動や塵に弱い光学部品を使用していることなどから、磁気テープを記録媒体として用いたカメラに比べよりいっそうの防振性、防塵性、防滴性が要求される。
【０００６】
【発明が解決しようとする課題】
しかし、従来は、ディスクカートリッジの挿入口を塞ぐ蓋及びその蓋の閉位置を保持するロック部材は共に、ディスク装置の装填部（光ピックアップやディスクカートリッジの回転駆動機構、ディスクカートリッジのロード・アンロードを行うローダーなどが備えられた部分）に設けられている。そして、蓋の開閉動作や閉位置を保持するロック動作やその解除動作は、ローダーの動作と機械的に連動して行われている。
【０００７】
装填部の防振を図るため、装填部を筐体に対して堅固に取り付けずに、例えば防振ゴムを装填部と筐体との間に介在させた構造とすると、装填部は防振ゴムによって多少の動きを許容された状態となるため、このような装填部に対して蓋及びそのロック部材が連結されていると、閉位置への位置決めにずれが生じたり、閉位置で筐体に対して十分な圧接力が得られなくなったり、完全にロックされなかったりして微小な隙間が生じ、その隙間から挿入口を介して装填部へと塵や水滴などが侵入してしまうおそれがある。
【０００８】
本発明は上述の問題に鑑みてなされ、その目的とするところは、装填部に対する防振性と、蓋の密閉性の確保との両立を図ったディスク装置及びこれを備えたカメラを提供することにある。
【０００９】
【課題を解決するための手段】
以上の課題を解決するにあたり、本発明のディスク装置は、筐体に開口された挿入口から挿入されるディスクカートリッジを収容可能な装填部を、防振部材を介在させて筐体に取り付け、蓋を装填部と分離させて筐体に取り付け、挿入口を覆う閉位置にある蓋と係合する係合位置と、その係合が解除される解除位置との間で移動自在なロック部材を、装填部と分離させて筐体に取り付けたことを特徴としている。
【００１０】
また、本発明のカメラは上記ディスク装置を備えていることを特徴としている。すなわち、本発明のカメラでは、撮像されたデータは、上記ディスク装置の装填部に装填されたディスクカートリッジ内のディスク状記録媒体に記録可能となっている。
【００１１】
防振部材は筐体に加わった衝撃を緩衝して、ディスクカートリッジに対する記録・再生が行われる装填部へと衝撃が伝わらないようにする、あるいは減衰させる。これによって、ディスクカートリッジに対する記録・再生エラーの防止が図れる。防振部材としては、例えばゴム材料からなるものを用いることができるが、緩衝機能を有するものであればそれに限らず、例えばコイルばねなどを用いてよい。
【００１２】
蓋はその閉位置にて、挿入口を外部環境から保護する機能を有し、また開位置をとると挿入口からのディスクカートリッジの挿入あるいは取出を可能とする。ロック部材は閉位置にある蓋に係合することで蓋の閉位置を保持する。これら蓋及びロック部材は筐体に取り付けられ、装填部とは機械的に連結されていない。よって、装填部と筐体との間に介在された防振部材の影響（緩衝作用に伴う変形や振動などの影響）を何ら受けることなく、その開閉動作及びロック部材と蓋との係合・解除動作を安定して行うことができる。
【００１３】
また、ロック部材を蓋との係合位置から解除位置まで移動させる電動モータを設けることで、例えばディスクカートリッジへのデータの書き込み中はその電動モータを動作させずに、書き込み終了後に動作させる、あるいはディスクカートリッジがローダーの動作によって挿入口付近にまで移動してきたときにその電動モータを動作させるなど、蓋のロック（閉位置の保持）解除の自動制御が可能になる。このことにより、蓋が開いている時間を必要最小限に制御でき、ディスクカートリッジや光ピックアップに対する防滴、防塵を徹底できる。もちろん、ロック部材の動作を手動で行うようにしてもよい。
【００１４】
なお、上記電動モータにてロック部材を動作させるようにした場合でも、手動による動作手段は設けることが好ましい。例えば、ロック部材と一体的に係合位置と解除位置との間を移動されるスライド片を筐体の外部に臨ませて設けると、電動モータへの電力供給手段であるバッテリが切れたり、電動モータ自体が故障したりした場合でも、上記スライド片を例えば何らかの治具を用いて手動にて動かしてこのスライド片と一体的なロック部材を解除位置へと移動させることができる。
【００１５】
また、閉位置にある状態で、挿入口が形成された筐体の挿入口形成面に対して向き合わされる蓋の内表面において、少なくとも挿入口形成面に当接する箇所にシール材を設ければ、蓋の密閉力をよりいっそう高めることができる。シール材としては、蓋の内表面と挿入口形成面との間で押しつぶされて両者に密接される材料であれば何でもよいが、例えばゴム材料、樹脂材料などを用いることができる。
【００１６】
また、本発明でディスクカートリッジとは、扁平状のカートリッジ内に形成される空間内に１枚のディスク状記録媒体（光ディスク、光磁気ディスク、磁気ディスク）が回転可能に収容された構造に限らず、ケーシング内に１枚あるいは複数枚の磁気ディスクと、この磁気ディスクに対する読み書きを行う磁気ヘッドを収容した構造のもの（いわゆる可搬性のハードディスク）も含む。
【００１７】
【発明の実施の形態】
以下、本発明の一例としての実施の形態に係るディスク装置及びこのディスク装置を備えたカメラついて図面を参照して説明する。
【００１８】
（カメラの全体構成）
図１は、本発明の一つの実施形態としてのカメラ１の外観斜視図を示す。カメラ１は、大別して本体３とレンズ２からなる。本体３の筺体４内には、レンズ２によって結像された光学情報を電気信号に変換する撮像素子や各種信号処理回路、更には前記電気信号をデジタル化したデータをディスク状記録媒体に光学的に記録・再生するディスク装置が内蔵されている。
【００１９】
以下、ディスク装置について説明する。
【００２０】
（装填部の構成）
ディスク装置は、図１においてカメラ本体３の右側面側に内蔵されている。図４は、右側面筐体４ｂが本体３から取り外され、ディスク装置の装填部２４が露出された状態を示す。装填部２４は、チャッキングテーブル１９、光ピックアップ（図示省略）、枠体２１、ローダー２０などを１つのユニットとして構成される。
【００２１】
次に、図５も参照して、装填部２４の筐体４に対する取付構造について説明する。装填部２４の４隅には外方へ張り出した取付部２３が設けられている。各取付部２３は、筐体４側に形成されたボス部２６（図４参照）に対して、そのボス部２６と取付部２３との間に防振部材２７を介在させて段付きねじ２２でねじ止めされる。
【００２２】
防振部材２７は例えば円筒形状のゴム材料からなり、その外周面には周方向に沿って溝２７ａが形成されている。そして、防振部材２７はその溝２７ａを、取付部２３に形成された貫通孔の縁部に係合させると共に、下面をボス部２６の上面に当接させている。段付きねじ２２は防振部材２７を貫通し、その先端の小径部がボス部２６に形成されたねじ孔に螺着している。なお、装填部２４に対して、所望の取付強度及び防振作用が得られればねじ止め箇所は４隅の４箇所に限ることはない。
【００２３】
以上の装填部２４の他に、ディスクカートリッジを装填部２４へと挿入するための挿入口と、この挿入口を開閉する内扉と、挿入口及び内扉を覆うようにして密閉可能な蓋と、この蓋の閉位置を保持するロック機構などを備えて本実施の形態に係るディスク装置が構成される。
【００２４】
（挿入口付近の構造）
図２は挿入口１０付近の斜視図を示す。カメラ本体３の上面筐体４ａと右側面筐体４ｂとの接続部に、これら筐体４ａ、４ｂの他の外表面よりくぼんだ挿入口形成面９が形成されている。この挿入口形成面９に、カメラ本体３の前後方向に細長く延在する挿入口１０が開口されている。上面筐体４ａに対して右側面筐体４ｂは例えばねじ止めにて取り付けられるが、この際、上面筐体４ａに形成された略コ字状の切欠き１０ａと右側面筐体４ｂに形成された略コ字状の切欠き１０ｂどうしを向き合わせるようにすることで、略長方形状の挿入口１０が得られる。
【００２５】
挿入口１０の長さは、挿入すべきディスクカートリッジ８の幅よりわずかに大きく、挿入口１０の幅はディスクカートリッジ８の厚さよりわずかに大きくされており、挿入口１０を介してのディスクカートリッジ８の装填部２４への挿入あるいは取出を可能としている。
【００２６】
挿入口形成面９において内方寄りの箇所には、上面筐体４ａを貫通するくり抜き部１３ａ、１３ｂが形成されている。それぞれのくり抜き部１３ａ、１３ｂには、後述するロック部材５８ａ、５８ｂ及びこのロック部材５８ａ、５８ｂを蓋５との係合位置へと動作させる屈曲部４０ａ、４０ｂが配置される。
【００２７】
（内扉の構造）
図３は右側面筐体４ｂの内面側（装填部２４に向き合う側）を示す。上記挿入口１０の半分を構成するコ字状の切欠き１０ｂの縁部裏面には図示しないヒンジ機構を介して、挿入口１０の大きさよりも大きな長方形状の内扉１２が取り付けられている。内扉１２は図示しないねじりコイルばねにて上方へと付勢され、通常の状態では挿入口１０の縁部裏面に当接して挿入口１０を閉塞している。ディスクカートリッジ８の挿入時には、ディスクカートリッジ８の挿入側端面で内扉１２の外表面が押されて、前記したヒンジ機構を中心に右側面筐体４ｂの内面側へと傾動して、挿入口１０からのディスクカートリッジ８の挿入を許容する。
【００２８】
（蓋の構造）
また、右側面筐体４ｂには、挿入口１０を含む挿入口形成面９全体を覆う閉位置（図１の状態）と、挿入口１０及び挿入口形成面９を開放する開位置（図２の状態）との間を回動可能な蓋５が取り付けられている。蓋５において挿入口形成面９と向き合う内面側には、右側面筐体４ｂを貫通する１対のヒンジ１１ａ、１１ｂのそれぞれの一端部が連結されている。蓋５は図示しないねじりコイルばねにて挿入口形成面９を開放する方向に付勢されている。
【００２９】
一方のヒンジ１１ｂの他端部は、右側面筐体４ｂの内面に設けられた複数のギア１４と羽根車を内蔵したダンパー１５と連結され、これにより、閉位置から、上記コイルばねの付勢力による開位置への回動速度を減衰させている。
【００３０】
また、蓋５の内表面には、１対の金具１６ａ、１６ｂがねじ１７で取り付けられている。各金具１６ａ、１６ｂは内表面との間に凹状の空間を形成するコ字状を呈している。また、内表面の縁部にはシール材１８が取り付けられている。シール材１８は例えばゴム材料からなり、蓋５が閉位置となったときに挿入口形成面９に密着して蓋５が閉位置となったときの密閉性を向上させる。
【００３１】
（ロック機構の構成）
次にロック機構について説明する。図７は上記蓋５を閉位置に保持する係合位置にあるロック機構３０の底面図を示す。図６は蓋５との係合が解除された解除位置にあるロック機構３０の底面図を示す。図９、１０は係合位置にあるロック機構３０の正面図を示す。図８は解除位置にあるロック機構３０の正面図を示す。図１２は係合位置にあるロック機構３０の裏面斜視図を示す。図１１は解除位置にあるロック機構３０の裏面斜視図を示す。
【００３２】
ロック機構３０は、主として、筐体４に固定されるベースプレート３１と、このベースプレート３１に対して摺動自在なスライドプレート３２と、ベースプレート３１に対して回転自在に支持されたロック解除ギア３７と、ロック解除ギア３７を回転駆動させるロック解除モータ６５（図１３参照）とから構成される。ベースプレート３１及びスライドプレート３２は共に、例えばステンレス材料からなる板金を折り曲げて構成される。また、スライドプレート３２には摺動性を高めるため例えばフッ素樹脂塗料が塗装されている。
【００３３】
ベースプレート３１において細長い帯板状を呈する第１板部３３の両端部には図８に示すように丸孔５７ａ、５７ｂが形成されている。この丸孔５７ａ、５７ｂにねじを通すことでベースプレート３１は筐体４に対してねじ止めされる。図４に示すように、ロック機構３０は装填部２４の上方位置で、ベースプレート３１の第１板部３３及びスライドプレート３２の第１板部３２を図において正面に向けて（図示では取り外されている右側面筐体４ｂに向けて）、筐体４に対して取り付けられる。
【００３４】
図８に示すように、ベースプレート３１の第１板部３３の表面には、スライドプレート３２の長尺方向に沿う移動をガイドするための１対のガイドピン３９が設けられている。
【００３５】
ベースプレート３１の第１板部３３に対してほぼ直角に折り曲げられた第２板部３４には、例えば樹脂材料からなる部材４６（図６、１１参照）がねじ止めで取り付けられている。部材４６にはスライドプレート３２の移動方向に沿う長孔４６ａが貫通孔として形成されている。なお、部材４６はベースプレート３１の第２板部３４と別体としたが、第２板部３４と一体的構成としてもよい。
【００３６】
スライドプレート３２は、ベースプレート３１と同様、細長い帯板状の第１板部３５に対して第２板部３６がほぼ直角に折り曲げられた形状を呈する。ベースプレート３１の第１板部３３表面にスライドプレート３２の第１板部３５裏面が重ねられ、ベースプレート３１の第２板部３４表面にスライドプレート３２の第２板部３６裏面が重ねられている。
【００３７】
スライドプレート３２の第１板部３５には、長尺方向に沿った長円状の１対のガイド孔５９（図８参照）が形成され、各ガイド孔５９に上述したベースプレート３１に形成されたガイドピン３９が嵌合している。
【００３８】
図８に示すように、スライドプレート３２の第１板部３５において、各ガイド孔５９の近傍に一体的に１対のロック部材５８ａ、５８ｂが形成されている。各ロック部材５８ａ、５８ｂは、上方に突出すると共に右方に屈曲したＬ字状を呈している。
【００３９】
スライドプレート３２の第２板部３６には、裏面側へと屈曲したスライド片４７（図６、１１参照）が一体的に形成されており、このスライド片４７は上述した長孔４６ａを貫通している。
【００４０】
図１１に示すように、ベースプレート３１の第１板部３３には、例えばステンレス材料からなる１対のレバー６１、６２がピン６３、６４を中心に揺動可能に取り付けられている。各レバー６１、６２には以下に説明する複数の屈曲部が一体的に形成されている。
【００４１】
先ず、レバー６１について説明すると、レバー６１の一端側にはベースプレート３１の第１板部３３から突き出るようにしてＬ字状に屈曲した屈曲部４０ａが形成されている。屈曲部４０ａはロック部材５８ａの近傍でロック部材５８ａの内側面に対向して位置している。
【００４２】
レバー６１の他端側には、ベースプレート３１の第２板部３４を貫通して第２板部３４の表面側へと突き出るようにして屈曲した屈曲部４２が形成されている。屈曲部４２は、スライドプレート３２の第２板部３５表面側に折り返されて形成された折返部４１（図６、８参照）に当接し、スライドプレート３２の右方への（蓋５との係合位置への）移動を規制するストッパとして機能する。
【００４３】
ピン６３の近傍には、ベースプレート３１の第２板部３４及びスライドプレート３２の第２板部３６を貫通して第２板部３６の表面側へと突き出るようにして屈曲した屈曲部４５（図６、８参照）が形成されている。この屈曲部４５にはコイルばね４３の一端が掛けられている。コイルばね４３の他端は、ベースプレート３１の第２板部３４表面側に折り返された折返部４４に掛けられている。
【００４４】
このコイルばね４３は屈曲部４５を左方へと引っ張って付勢している。すなわち、コイルばね４３によってレバー６１は図１１においてピン６３を中心に反時計方向へ回動するよう付勢されている。屈曲部４２とレバー６１との接続境界部がベースプレート３１の第２板部３４裏面に当接することで、それ以上の回動は規制されレバー６１は図１１に示す状態で保持される。
【００４５】
他方のレバー６２についても、その一端側にはベースプレート３１の第１板部３３から突き出るようにしてＬ字状に屈曲した屈曲部４０ｂが形成されている。屈曲部４０ｂはロック部材５８ｂの近傍でロック部材５８ｂの内側面に対向して位置している。
【００４６】
レバー６２の他端側には、ベースプレート３１の第２板部３４を貫通して第２板部３４の表面側へと突き出るようにして屈曲した屈曲部５６が形成されている。屈曲部５６は、スライドプレート３２の第２板部３６表面側に折り返されて形成された折返部５５（図６、８参照）に当接し、スライドプレート３２の右方への（蓋５との係合位置への）移動を規制するストッパとして機能する。
【００４７】
ピン６４の近傍には、ベースプレート３１の第２板部３４を貫通して第２板部３４の表面側へと突き出るようにして屈曲した２つの屈曲部５４、５３（図６、８参照）が形成されている。このうち、屈曲部５４にはコイルばね５１の一端が掛けられている。コイルばね５１の他端は、ベースプレート３１の第２板部３４表面側に折り返された折返部５０に掛けられている。
【００４８】
コイルばね５１は屈曲部５４を左方へと引っ張って付勢している。すなわち、コイルばね５１によってレバー６２はピン６４を中心に図１１において反時計方向へ回動するよう付勢されている。屈曲部５６とレバー６２との接続境界部がベースプレート３１の第２板部３４裏面に当接することで、それ以上の回動は規制されレバー６２は図１１に示す状態で保持される。
【００４９】
もう一方の屈曲部５３は、レバー６２の揺動に伴って後述するフォトカプラ７２（図１５参照）を遮光・透光するシャッターとして機能する。
【００５０】
図６に示すように、ベースプレート３１の第２板部３４表面のほぼ中央には、例えば樹脂材料からなるロック解除ギア３７が取り付けられている。ロック解除ギア３７は、ベースプレート３１の第２板部３４に支持された軸３７ａを中心に回転自在となっている。
【００５１】
図８に示すように、ロック解除ギア３７において、ベースプレート３１の第２板部３４と対向する裏面には作動子６０が第２板部３４側に突出して形成されている。作動子６０はロック解除ギア３７裏面の外周部に、ロック解除ギア３７に一体的に形成されている。よって、ロック解除ギア３７が回転するとこの回転に伴って作動子６０も軸３７ａを中心に円の軌跡を描いてその位置を変えていく。
【００５２】
図６、８に示すように、ロック解除ギア３７の表面側にはリブ３８が一体的に形成されている。リブ３８は、ロック解除ギア３７表面の外周部に位置し、円周方向に沿って延在している。その延在長さは円周全長の例えば１／５ほどである。リブ３８は、ロック解除ギア３７の回転に伴って軸３７ａを中心に円の軌跡を描いてその位置を変えていき、後述するフォトカプラ７１（図１５参照）を遮光・透光するシャッターとして機能する。
【００５３】
図１３に示すように、ロック解除ギア３７の側方には、このロック解除ギア３７と噛み合っている第１のウォーム６８が配設されている。この第１のウォーム６８の一端部には、第１のウォーム６８と一体的に回転するギア６９が取り付けられている。このギア６９の側方にはロック解除モータ６５が配設されている。ロック解除モータ６５は回路基板６６と電気線６７を介して接続された電動モータである。
【００５４】
ロック解除モータ６５の回転軸は第２のウォーム７０と連結され、この第２のウォーム７０は上記ギア６９と噛み合っている。したがって、ロック解除モータ６５の回転駆動力は、第２のウォーム７０、ギア６９、第１のウォーム６８を介してロック解除ギア３７へと伝達される。
【００５５】
これら第１のウォーム６８、ギア６９、第２のウォーム７０、ロック解除モータ６５は一体的なユニットとして構成され、例えばねじ止めにてベースプレート３１の第２板部３４に取り付けられる。
【００５６】
ロック解除ギア３７の、第１のウォーム６８と噛み合っている側と軸３７ａを挟んだ反対側には、例えば樹脂材料からなる被作動体４９が配設されている。被作動体４９はスライドプレート３２の第２板部３６表面に例えばねじ止めされ、スライドプレート３２と一体的に移動される。なお、被作動体４９を別体ではなくスライドプレート３２と一体的に形成してもよい。
【００５７】
被作動体４９の一端面（図８、１３において右側端面）は、スライドプレート３２の長尺方向に沿う移動に伴って、ロック解除ギア３７と第２板部３６との間の空間内を左右に移動される。
【００５８】
ベースプレート３１の第２板部３４には表面側に折り返された取付部４８、５２が形成され、この取付部４８、５２に回路基板６６が図１４〜図１７に示すように取り付けられる。回路基板６６にはロック解除モータ６５の制御回路などが形成されている。更に、２つのフォトカプラ７１、７２が実装されている。
【００５９】
各フォトカプラ７１、７２はコ字状を呈し、投光素子とこの投光素子からの光を受光可能な受光素子とを備えている。フォトカプラ７２は、上述した屈曲部５３によって遮光・透光の切替が行われ、フォトカプラ７１はロック解除ギア３７のリブ３８によって遮光・透光の切替が行われる。
【００６０】
次に、以上のように構成されるディスク装置の動作について、図２０、図２１に示すタイミングチャートも合わせて参照しながら説明する。
【００６１】
なお、図２０、図２１に表記される用語と上述した各構成部材との対応関係について説明すると、ロック解除ギアセンサはフォトカプラ７１に対応し、ロック／解除センサはフォトカプラ７２に対応する。その他表記された用語については以下の動作説明と合わせて説明する。
【００６２】
（ディスクカートリッジの挿入動作）
挿入動作を説明する前に、ロック機構３０は図７、９、１２、１５、１９に示す状態にあり、蓋５は挿入口形成面９を覆う閉位置にあるとする。すなわち、図１９に示すように、ロック部材５８ａ、５８ｂが蓋５の金具１６ｂ、１６ａに係合している係合位置にある状態である。なお、ロック部材５８ａ、５８ｂは図２に示すくり抜き部１３ａ、１３ｂ内に位置し閉位置にある蓋５の金具１６ｂ、１６ａとの係合が可能な状態となっている。
【００６３】
ロック部材５８ａ、５８ｂはその屈曲した部分を、金具１６ｂ、１６ａと蓋５内表面との間の空間に入り込ませており、これによって蓋５はその金具１６ｂ、１６ａがロック部材５８ａ、５８ｂに引っかかって開位置への移動が規制され閉位置が保持される。
【００６４】
この状態で、先ず、図１に示す、本体３の上面筐体４ａに設けられた取出ボタン６を押すと、電気信号がロック解除モータ６５に送られ、ロック解除モータ６５が回転駆動を開始する。
【００６５】
ロック解除モータ６５の回転駆動力は、第２のウォーム７０、ギア６９、第１のウォーム６８を介してロック解除ギア３７に伝達され、ロック解除ギア３７は図９に示す状態から軸３７ａを中心に反時計方向に回転する。
【００６６】
ロック解除ギア３７の回転と共に作動子６０も軸３７ａを中心に反時計方向に回転し、図１０に示す、被作動体４９の右側端面と当接する位置に至る。そして、更なる回転により、作動子６０は被作動体４９を左方へと押して移動させる。これにより、被作動体４９と一体的なスライドプレート３２及びロック部材５８ａ、５８ｂが左方へと移動し、図８、１８に示す解除位置に至る。この結果、ロック部材５８ａ、５８ｂは、金具１６ｂ、１６ａと蓋５内表面との間の空間から外れ、金具１６ｂ、１６ａとの係合が解除される。
【００６７】
なお、図１５の状態からロック解除ギア３７が回転し始めると、そのリブ３８がフォトカプラ７１を遮光する位置から透光する位置（図１６）、そして１回転して再び遮光する位置（図１７）へと戻ると、この検出信号を受けてロック解除モータ６５の回転駆動は停止される。すなわち、ロック解除ギア３７はフォトカプラ７１を遮光する位置で停止する。
【００６８】
以上のようにして、ロック部材５８ａ、５８ｂと金具１６ｂ、１６ａとの係合が解除されると、蓋５は上述したようにねじりコイルばねによって開位置へと付勢されているので、自動的に開き、挿入口形成面９を開放させる（図２の状態）。
【００６９】
この状態で、ディスクカートリッジ８の挿入側端面にて内扉１２を筐体４内部へと傾動させて、挿入口１０からディスクカートリッジ８を挿入する。ディスクカートリッジ８が正しい姿勢で挿入され、ディスクカートリッジ８の上端面が挿入口１０とほぼ面一となった位置で、装填部２４に設けられた図示しないローダＩＮスイッチがオンとなる。
【００７０】
そして、手動で蓋５を閉じる。このとき、図１８に示すように、蓋５の内表面に取り付けられた金具１６ｂ、１６ａの下端面がレバー６１、６２の一端部に形成された屈曲部４０ａ、４０ｂを押す。これにより、レバー６１、６２は図１１の状態から図１２の状態へとピン６３、６４を中心に時計方向に揺動する。
【００７１】
この揺動により、レバー６１、６２の他端部に形成された屈曲部４２、５６と、スライドプレート３２に形成された折返部４１、５５との当接が外れ、スライドプレート３２はコイルばね４３、５１の付勢力によって図１９に示す係合位置へと移動する。これにより、ロック部材５８ａ、５８ｂはその屈曲した部分を、金具１６ｂ、１６ａと蓋５内表面との間の空間に入り込ませて、蓋５はその金具１６ｂ、１６ａがロック部材５８ａ、５８ｂに引っかかって開位置への移動が規制され閉位置が保持される。
【００７２】
なお、屈曲部４０ａ、４０ｂの両方共が、それぞれ金具１６ｂ、１６ａによって押されないと屈曲部４２、５６と折返部４１、５５との当接は解除されず、片方だけでは解除されなかった方の屈曲部と折返部との当接によりスライドプレート３２は係合位置へと移動されない。このことにより、半ロックによる不完全な蓋５のロックを防げる。
【００７３】
蓋５は、防振部材２７によって多少の動きを許容される構造にて筐体４に取り付けられた装填部２４とは完全に分離されて、筐体４に直接取り付けられているので、閉位置をとるにあたって位置ずれを起こすようなことはなく、また密閉力も低下させることなく挿入口形成面９を覆うことができる。更に、内表面に形成されたシール材１８によって気密性、液密性をよりいっそう高めた状態で挿入口１０を外部から遮断する。このことにより、挿入口１０から装填部２４への塵や水分の侵入を防ぐ防塵性、防水性を高めて、光ピックアップなどの精密部品の保護が図れる。
【００７４】
上記動作によるレバー６２の揺動と共に、レバー６２と一体的な屈曲部５３も揺動し、図１６に示すようにフォトカプラ７２を遮光していた位置から図１７に示すようにフォトカプラ７２を透光する位置に外れる。このことにより、蓋５のロック状態（閉位置の保持状態）が検出される。
【００７５】
以上のように、ローダーＩＮスイッチがオンとなり、なおかつフォトカプラ７２の透光状態（蓋５のロック状態）が検出されると、図４に示すローダー２０がディスクカートリッジ８を保持して下降（ローダーダウン）し始める。
【００７６】
そして、ローダーＨ−ＥＮＤ位置まで下降すると装填部２４に設けられたローダーＨ−ＥＮＤスイッチ（図示せず）がオンになり下降が停止され、チャッキングテーブル１９の方へと移動する。これにより、ディスクカートリッジ８内に収容されたディスク状記録媒体はその中心孔がチャッキングテーブル１９に係合されて、ディスク状記録媒体への記録再生が可能な状態となる。
【００７７】
このとき、装填部２４は防振部材２７を介在させて筐体４に取り付けられているので、筐体４に衝撃が加わっても防振部材２７にて緩衝され、記録再生の動作不良を抑制できる。
【００７８】
（再生、停止、早送り、巻戻しモードから取出ボタン６を押した場合）
ローダー２０がチャッキングテーブル１９から離れ、ローダーＨ−ＥＮＤ位置に至ってローダーＨ−ＥＮＤスイッチがオンとなると、ロック解除モータ６５が回転駆動を開始する。
【００７９】
ロック解除モータ６５の回転駆動力は、第２のウォーム７０、ギア６９、第１のウォーム６８を介してロック解除ギア３７に伝達され、ロック解除ギア３７は図９に示す状態から軸３７ａを中心に反時計方向に回転する。
【００８０】
ロック解除ギア３７の回転と共に作動子６０も軸３７ａを中心に反時計方向に回転し、図１０に示す、被作動体４９の右側端面と当接する位置に至る。そして、更なる回転により、作動子６０は被作動体４９を左方へと押して移動させる。これにより、被作動体４９と一体的なスライドプレート３２及びロック部材５８ａ、５８ｂが左方へと移動し、図８、１８に示す解除位置に至る。この結果、ロック部材５８ａ、５８ｂは、金具１６ｂ、１６ａと蓋５内表面との間の空間から外れ、金具１６ｂ、１６ａとの係合が解除される。
【００８１】
なお、図１５の状態からロック解除ギア３７が回転し始めると、そのリブ３８がフォトカプラ７１を遮光する位置から透光する位置（図１６）、そして１回転して再び遮光する位置（図１７）へと戻ると、この検出信号を受けてロック解除モータ６５の回転駆動は停止される。すなわち、ロック解除ギア３７はフォトカプラ７１を遮光する位置で停止する。
【００８２】
以上のようにして、ロック部材５８ａ、５８ｂと金具１６ｂ、１６ａとの係合が解除されると、蓋５は上述したようにねじりコイルばねによって開位置へと付勢されているので、自動的に開き、挿入口形成面９を開放させる（図２の状態）。以上の動作の間、例えば筐体４に設けられた取出ＬＥＤが点滅する。
【００８３】
また、以上の動作と平行して、ディスクカートリッジ８を保持したローダー２０が上昇（アンロード動作）すると共にこのローダー２０の動きと連動して内扉１２が傾動して挿入口１０を開放する。これにより、挿入口１０からディスクカートリッジ８の上部が露出してディスクカートリッジ８の取り出しが可能になる。
【００８４】
ディスクカートリッジ８を取り出した後、手動で蓋５を閉じる。このとき、上述したように、図１８に示すように、蓋５の内表面に取り付けられた金具１６ｂ、１６ａの下端面がレバー６１、６２の一端部に形成された屈曲部４０ａ、４０ｂを押す。これにより、レバー６１、６２は図１１の状態から図１２の状態へとピン６３、６４を中心に時計方向に揺動する。
【００８５】
この揺動により、レバー６１、６２の他端部に形成された屈曲部４２、５６と、スライドプレート３２に形成された折返部４１、５５との当接が外れ、スライドプレート３２はコイルばね４３、５１の付勢力によって図１９に示す係合位置へと移動する。これにより、ロック部材５８ａ、５８ｂはその屈曲した部分を、金具１６ｂ、１６ａと蓋５内表面との間の空間に入り込ませて、蓋５はその金具１６ｂ、１６ａがロック部材５８ａ、５８ｂに引っかかって開位置への移動が規制され閉位置が保持される。
【００８６】
（記録モード（ＲＥＣモード）動作後、取出ボタン６を押した場合）
ディスク状記録媒体にデータを書き込み、アンマウント処理を行った後、上述した（再生、停止、早送り、巻戻しモードから取出ボタン６を押した場合）と同様に、蓋５のロック解除による開位置への移動、及びローダー２０によるディスクカートリッジ８のアンロードが行われる。
【００８７】
（ＲＥＣモード中に取出ボタン６を押した場合）
この場合には、取出ボタン６が押されても、ロック解除モータ６５を駆動させる信号は送られずに、よって上述した蓋５の開動作及びローダー２０のアンロード動作は行われない。これにより、書き込みエラーを防げる。
【００８８】
（ローダー２０がローダーダウン動作中にローダーＩＮスイッチがオフになった場合、あるいはローダーダウン動作時にディスクカートリッジのＩＤ違いでアンロードさせる場合）
フォトカプラ７２の遮光状態が検出され蓋５が閉じている場合には、先ず、ローダー２０はローダーＨ−ＥＮＤ位置に移動して待機する。そして、人が取出ボタン６押すと上述した蓋５の開動作及びローダー２０のアンロード動作が行われる。なお、この間、ランプの点灯や点滅などで警報するようにする。
【００８９】
フォトカプラ７２の透光状態が検出され蓋５が開いている場合には、ローダー２０をローダーＨ−ＥＮＤ位置に移動させた後、再度、自動的にアンロード動作させる。
【００９０】
（ローダー２０が動作中に異常な電源遮断され、再度電源がオンされた場合）
（１）ローダーＩＮスイッチがオンの場合。
フォトカプラ７２の遮光状態が検出され蓋５が閉じている場合には、ローダー２０をダウンさせる。
【００９１】
フォトカプラ７２の透光状態が検出され蓋５が開いている場合には、蓋５を閉じたら（フォトカプラ７２の遮光状態が検出されたら）ローダー２０をダウンさせる。そして、取出ボタン６が押されたら、アンロードさせる。この間、ランプの点灯や点滅などで警報するようにする。
【００９２】
（２）ローダーＩＮスイッチがオフの場合（ディスクカートリッジ８とローダー２０の位置関係がずれているためローダーダウン不可）。
フォトカプラ７２の遮光状態が検出され蓋５が閉じている場合には、先ず、ローダー２０はローダーＨ−ＥＮＤ位置に移動して待機する。そして、人が取出ボタン６押すと上述した蓋５の開動作及びローダー２０のアンロード動作が行われる。なお、この間、ランプの点灯や点滅などで警報するようにする。
【００９３】
フォトカプラ７２の透光状態が検出され蓋５が開いている場合には、ローダー２０をローダーＨ−ＥＮＤ位置に移動させた後、再度、自動的にアンロード動作させる。
【００９４】
また、装填部２４にディスクカートリッジ８が装填され、蓋５がロックされて閉位置にある状態で、例えばバッテリ切れなどで上記ロック解除モータ６５を駆動させることができない場合に備えて、手動によるロック解除手段が設けられている。
【００９５】
具体的には、図１に示すように、上面筐体４ａに内部と連通する孔７を形成し、この孔７に、スライドプレート３２と一体的に形成されたスライド片４７を配置させている。孔７は、通常は例えばゴム材料からなるキャップが嵌め込まれて塵や水分の侵入から保護されているが、そのキャップを取り外すと図１い示すようにスライド片４７が筐体外部に露出する。そして、そのスライド片４７を例えばドライバーなどのような先細のものでスライドさせることで、ロック部材５８ａ、５８ｂを金具１６ｂ、１６ａとの係合解除位置へと移動させることができる。これにより、蓋５は上述したようにねじりコイルばねによって開位置へと付勢されているので、自動的に開き、ディスクカートリッジ８の取出が可能になる。
【００９６】
以上、本発明の実施の形態について説明したが、勿論、本発明はこれに限定されることなく、本発明の技術的思想に基づいて種々の変形が可能である。
【００９７】
本実施の形態のディスク装置は、カメラに採用することに限らず、その他の機器に備えさせてもよい。もちろん、ディスク装置単独の構成としてもよい。特に、防振性、防塵性が要求される、屋外での使用や、車両に搭載する用途、携帯させる用途に本発明は有効である。
【００９８】
また、蓋５の内表面に設けるシール材１８は、縁部のみに限らず、内表面全体に設けてもよい。
【００９９】
【発明の効果】
以上述べたように、本発明によれば、ディスクカートリッジを収容可能な装填部を、防振部材を介在させて筐体に取り付け、蓋を装填部と分離させて筐体に取り付け、挿入口を覆う閉位置にある蓋と係合する係合位置と、その係合が解除される解除位置との間で移動自在なロック部材を、装填部と分離させて筐体に取り付けたので、蓋及びロック部材の動作安定性を損なわせることなく装填部に対する防振が図れる。この結果、防振部材による防振効果と、蓋の確実な密閉性による防塵、防滴効果により、装填部に装填されたディスクカートリッジに対する記録再生動作の不良を防げる。
【図面の簡単な説明】
【図１】本発明の実施の形態に係るカメラの外観斜視図である。
【図２】同実施の形態においてディスクカートリッジ挿入口付近の拡大斜視図である。
【図３】同実施の形態において筐体に対する蓋の取付構造を示す斜視図である。
【図４】同実施の形態に係るディスク装置内部の概略平面図である。
【図５】同実施の形態に係る装填部の筐体に対する取付構造を示す断面図である。
【図６】同実施の形態に係るロック機構の底面図である（ロック解除状態）。
【図７】同ロック機構の底面図である（ロック状態）。
【図８】同ロック機構の正面図である（ロック解除状態）。
【図９】同ロック機構の正面図である（ロック状態）。
【図１０】図９の状態からロック解除ギアが作動した状態を示す図である。
【図１１】同ロック機構の裏面斜視図である（ロック解除状態）。
【図１２】同ロック機構の裏面斜視図である（ロック状態）。
【図１３】図６に示すロック機構にロック解除モータを取り付けた状態を示す図である。
【図１４】図１３に示すロック機構に更に回路基板を取り付けた状態を示す図である。
【図１５】図９に示すロック機構に回路基板を取り付けた状態を示す図である。
【図１６】図１０に示すロック機構に回路基板を取り付けた状態を示す図である。
【図１７】図８に示すロック機構に回路基板を取り付けた状態を示す図である。
【図１８】蓋の閉位置への移動に伴うロック作用を説明する図である。
【図１９】図１８から続く動作にて蓋がロックされた状態を示す図である。
【図２０】ディスクカートリッジ取出時のタイミングチャートである。
【図２１】ＲＥＣモード終了後のディスクカートリッジ取出時のタイミングチャートである。
【符号の説明】
１…カメラ、２…レンズ、３…本体、４，４ａ，４ｂ…筐体、５…蓋、６…取出ボタン、８…ディスクカートリッジ、９…挿入口形成面、１０…挿入口、１２…内扉、１８…シール材、２０…ローダー、２２…段付きねじ、２３…取付部、２４…装填部、２６…筐体側ボス部、２７…防振部材、３７…ロック解除ギア、４７…スライド片、５８ａ，５８ｂ…ロック部材、６５…電動モータ、６６…回路基板、７１，７２…フォトカプラ。
【図１】
2004310836.tif 000003
【図２】
2004310836.tif 000004
【図３】
2004310836.tif 000005
【図４】
2004310836.tif 000006
【図５】
2004310836.tif 000007
【図６】
2004310836.tif 000008
【図７】
2004310836.tif 000009
【図８】
2004310836.tif 000010
【図９】
2004310836.tif 000011
【図１０】
2004310836.tif 000012
【図１１】
2004310836.tif 000013
【図１２】
2004310836.tif 000014
【図１３】
2004310836.tif 000015
【図１４】
2004310836.tif 000016
【図１５】
2004310836.tif 000017
【図１６】
2004310836.tif 000018
【図１７】
2004310836.tif 000019
【図１８】
2004310836.tif 000020
【図１９】
2004310836.tif 000021
【図２０】
2004310836.tif 000022
【図２１】
2004310836.tif 000023